(57)【特許請求の範囲】
【請求項１】
カメラ本体と交換レンズとを、カメラ側バヨネットマウントのマウント接合部とレンズ側バヨネットマウントの当接面とが接触した状態で結合する交換レンズ式カメラシステムにおいて、
前記カメラ側バヨネットマウントを、非導電部材もしくは金属に比較して電気抵抗の大きい合成樹脂によって形成するとともに、該カメラ側バヨネットマウントの一部に光軸に平行な貫通孔を設け、
前記カメラ側バヨネットマウントの裏面側から前記貫通孔を貫通して先端が前記マウント接合部に臨む導電性を有する導電用ピンと、
該導電用ピンの先端を前記マウント接合部から突出させる方向に付勢する導電性を有する付勢部材と、
前記交換レンズ内に設けたレンズ側電気装置と、
前記カメラ本体内に設けたカメラ側電気装置と、
前記カメラ側電気装置と電気的に接続されている複数のカメラ側接点を含み、前記マウント接合部より前記カメラ本体の内側に配置されるカメラ側接点群と、
前記レンズ側電気装置と電気的に接続されている複数のレンズ側接点を含み、前記交換レンズ上であって、前記カメラ本体に前記交換レンズを装着した状態で前記複数のカメラ側接点に前記複数のレンズ側接点が電気的に接続されるような前記交換レンズ上の位置に配置されるレンズ側接点群とを備え、
前記交換レンズが前記カメラ本体に装着された状態で前記レンズ側電気装置と前記カメラ側電気装置とを電気的に接続するアースラインを、少なくとも前記導電用ピンと前記付勢部材とを含んで構成し、
前記導電用ピンは位置規制部を有し、該位置規制部が前記カメラ側バヨネットマウントのマウント接合部と反対の面に当接することによって前記マウント接合部からの突出量を規制するように構成しており、
前記導電性を有する付勢部材は、前記付勢部材の一端が前記マウント接合部の一端が前記導電用ピンに当接し、前記カメラ側バヨネットマウントのマウント接合部と反対の面に対し前記導電用ピンを付勢するように構成しており、
さらに該付勢部材の他端と当接する導電部材と、
前記カメラ側バヨネットマウントのマウント接合部から所定量突出した状態で前記レンズ側バヨネットマウントの当接面に設けられた穴部と係合することにより、前記交換レンズと前記カメラ本体との回転方向の装着姿勢を決定するレンズ着脱ピンと、
該レンズ着脱ピンが前記カメラ側バヨネットマウントのマウント接合部から所定量退避したことを検知するレンズ着脱検知スイッチとを備え、
前記導電部材を前記レンズ着脱検知スイッチの一片により構成した
ことを特徴とする交換レンズ式カメラシステム。
【請求項２】
カメラ本体と電気装置を内蔵する交換レンズとを、カメラ側バヨネットマウントのマウント接合部とレンズ側バヨネットマウントの当接面とが接触した状態で結合する交換レンズ式カメラにおいて、
前記カメラ側バヨネットマウントを、非導電部材もしくは金属に比較して電気抵抗の大きい合成樹脂によって形成するとともに、該カメラ側バヨネットマウントの一部に光軸に平行な貫通孔を設け、
前記カメラ側バヨネットマウントの裏面側から前記貫通孔を貫通して先端が前記マウント接合部に臨む導電性を有する導電用ピンと、
該導電用ピンの先端を前記マウント接合部から突出させる方向に付勢する導電性を有する付勢部材と、
前記カメラ本体内に設けたカメラ側電気装置と、
前記カメラ側電気装置と電気的に接続されている複数のカメラ側接点を含み、前記マウント接合部より前記カメラ本体の内側に配置され、前記カメラ本体に前記交換レンズが装着された状態で前記交換レンズに配置される複数のレンズ側接点に前記複数のカメラ側接点が電気的に接続されるカメラ側接点群とを備え、
前記交換レンズが前記カメラ本体に装着された状態で前記交換レンズ内の電気装置と前記カメラ側電気装置とを電気的に接続するアースラインを、少なくとも前記導電用ピンと前記付勢部材とを含んで構成し、
前記導電用ピンは位置規制部を有し、該位置規制部が前記カメラ側バヨネットマウントのマウント接合部と反対の面に当接することによって前記マウント接合部からの突出量を規制するように構成しており、
前記導電性を有する付勢部材は、前記付勢部材の一端が前記導電用ピンに当接し、前記カメラ側バヨネットマウントのマウント接合部と反対の面に対し前記導電用ピンを付勢するように構成しており、
さらに該付勢部材の他端と当接する導電部材と、
前記カメラ側バヨネットマウントのマウント接合部から所定量突出した状態で前記レンズ側バヨネットマウントの当接面に設けられた穴部と係合することにより、前記交換レンズと前記カメラ本体との回転方向の装着姿勢を決定するレンズ着脱ピンと、
該レンズ着脱ピンが前記カメラ側バヨネットマウントのマウント接合部から所定量退避したことを検知するレンズ着脱検知スイッチとを備え、
前記導電部材を前記レンズ着脱検知スイッチの一片により構成した
ことを特徴とする交換レンズ式カメラ。
【発明の詳細な説明】
【０００１】
【発明の属する技術分野】
本発明は、交換レンズ式カメラシステムおよび交換レンズ式カメラに関し、特に交換レンズ側の電気装置とカメラ本体側の電気装置とを電気的に接続する電気的接続構造を備えた交換レンズ式カメラシステムおよび交換レンズ式カメラに関する。
【０００２】
【従来の技術】
従来からこの種の交換レンズ式カメラでは、交換レンズとカメラ本体とを、それぞれのバヨネットマウントにより着脱自在に結合するような構造を採っている。
このような交換レンズ式カメラにおいて、交換レンズ内の電気装置とカメラ本体内の電気装置との電気的な接続は、交換レンズの装着完了時に使用可能となる複数個の電気的接続端子群を、それぞれのバヨネットマウントの接合面に設けることにより行っている。また、これらの交換レンズとカメラ本体とを結合するバヨネットマウントのマウント接合部を含めて構成したアースラインを、電気的な接続ラインの一つとして用いる構造のものも知られている。
【０００３】
このような交換レンズとカメラ本体とのマウント接合部をアースラインの一部として使用する場合において従来は、バヨネットマウントが金属であったため、図４で示すように、交換レンズ側およびカメラ本体側の電気装置をそれぞれの構造物に接地すればよかった。
【０００４】
これを図４を用いて説明すると、図４中符号１は交換レンズ、１ａはこれを構成するレンズ構造物、２はこのレンズ側のバヨネットマウントであり、このマウント２は交換レンズ１のレンズ構造物１ａにビスにより固定されている。
符号３はカメラ本体、３ａはこれを構成するカメラ構造物、４はこのカメラ側のバヨネットマウントであり、このマウント４は、カメラ構造物３ａにビスにより固定されている。
図４中符号５はバヨネットばねであり、このばね５の付勢力によりレンズ側バヨネットマウント２とカメラ側バヨネットマウント４とが結合されている。
【０００５】
１１は前記レンズ側バヨネットマウント２の接合面に設けたレンズ側接点群、１２はこれに対応してカメラ側バヨネットマウント４の接合面に設けたカメラ側接点群で、これらの接点群１１，１２を交換レンズ１のカメラ本体３に対する装着時に電気的に接続することにより、レンズ側配線Ｌ1 〜Ｌ7 がそれぞれカメラ側配線Ｌ11〜Ｌ17に電気的に接続されるようになっている。
ここで、Ｌ1 −Ｌ11はモータ用電源ライン、Ｌ2 −Ｌ12はパワーグランドライン、Ｌ3 −Ｌ13は電気装置の電源ライン、Ｌ4 −Ｌ14、Ｌ5 −Ｌ15、Ｌ6 −Ｌ16、Ｌ7 −Ｌ17は信号ラインを形成している。
【０００６】
図中１３は交換レンズ１側に設けた電動モータ、１４はこのモータ１３を制御するモータ制御装置で、また１５はレンズ側の電気装置である。このレンズ側電気装置１５は、配線Ｌ8 により交換レンズ１のレンズ構造物１ａに接地されている。
【０００７】
一方、１６はカメラ本体３側に設けられた電源、１７はこの電源１６からの給電をレンズ側電気装置１５やカメラ側電気装置１８に供給する定電圧出力回路である。また、このカメラ側電気装置１８は配線Ｌ18によって前記カメラ本体３のカメラ構造物３ａに接地されている。
【０００８】
そして、このような構造による交換レンズ式カメラシステムでは、配線Ｌ8 、交換レンズ１のレンズ構造物１ａ、レンズ側バヨネットマウント２、カメラ側バヨネットマウント４、カメラ本体３のカメラ構造物３ａ、配線Ｌ18という経路によって、レンズ側電気装置１５とカメラ側電気装置１８を結ぶグランドライン（アースライン）を形成している。
【０００９】
【発明が解決しようとする課題】
最近のカメラでは、軽量化やコスト低減を図るために、上述したようなカメラ本体３のカメラ構造物３ａを、前記カメラ側バヨネットマウント４のバヨネット座を含めて、たとえば樹脂モールドのように電気的な絶縁物で形成することが行われるようになってきている。しかし、このような構造では、上述した従来と同じ構造によってマウント接合部を用いたアースラインを形成することができなかった。
【００１０】
本発明はこのような事情に鑑みてなされたものであり、カメラ本体側のバヨネットマウントを絶縁物により構成した場合であっても、交換レンズとカメラ本体とを結合するバヨネットマウントの接合面の一部を、交換レンズとカメラ本体とを電気的に接続するアースラインの一部として使用可能としている交換レンズ式カメラシステムおよび交換レンズ式カメラを得ることを目的としている。
【００１１】
【課題を解決するための手段】
このような要請に応えるために本発明に係る交換レンズ式カメラシステムは、カメラ本体と交換レンズとを、カメラ側バヨネットマウントのマウント接合部とレンズ側バヨネットマウントの当接面とが接触した状態で結合する交換レンズ式カメラシステムにおいて、前記カメラ側バヨネットマウントを、非導電部材もしくは金属に比較して電気抵抗の大きい合成樹脂によって形成するとともに、該カメラ側バヨネットマウントの一部に光軸に平行な貫通孔を設け、前記カメラ側バヨネットマウントの裏面側から前記貫通孔を貫通して先端が前記マウント接合部に臨む導電性を有する導電用ピンと、該導電用ピンの先端を前記マウント接合部から突出させる方向に付勢する導電性を有する付勢部材と、前記交換レンズ内に設けたレンズ側電気装置と、前記カメラ本体内に設けたカメラ側電気装置と、前記カメラ側電気装置と電気的に接続されている複数のカメラ側接点を含み、前記マウント接合部より前記カメラ本体の内側に配置されるカメラ側接点群と、前記レンズ側電気装置と電気的に接続されている複数のレンズ側接点を含み、前記交換レンズ上であって、前記カメラ本体に前記交換レンズを装着した状態で前記複数のカメラ側接点に前記複数のレンズ側接点が電気的に接続されるような前記交換レンズ上の位置に配置されるレンズ側接点群とを備え、前記交換レンズが前記カメラ本体に装着された状態で前記レンズ側電気装置と前記カメラ側電気装置とを電気的に接続するアースラインを、少なくとも前記導電用ピンと前記付勢部材とを含んで構成し、前記導電用ピンは位置規制部を有し、該位置規制部が前記カメラ側バヨネットマウントのマウント接合部と反対の面に当接することによって前記マウント接合部からの突出量を規制するように構成しており、前記導電性を有する付勢部材は、前記付勢部材の一端が前記導電用ピンに当接し、前記カメラ側バヨネットマウントのマウント接合部と反対の面に対し前記導電用ピンを付勢するように構成しており、さらに該付勢部材の他端と当接する導電部材と、前記カメラ側バヨネットマウントのマウント接合部から所定量突出した状態で前記レンズ側バヨネットマウントの当接面に設けられた穴部と係合することにより、前記交換レンズと前記カメラ本体との回転方向の装着姿勢を決定するレンズ着脱ピンと、該レンズ着脱ピンが前記カメラ側バヨネットマウントのマウント接合部から所定量退避したことを検知するレンズ着脱検知スイッチとを備え、前記導電部材を前記レンズ着脱検知スイッチの一片により構成したものである。
【００１２】
また、本発明に係る交換レンズ式カメラは、カメラ本体と電気装置を内蔵する交換レンズとを、カメラ側バヨネットマウントのマウント接合部とレンズ側バヨネットマウントの当接面とが接触した状態で結合する交換レンズ式カメラにおいて、前記カメラ側バヨネットマウントを、非導電部材もしくは金属に比較して電気抵抗の大きい合成樹脂によって形成するとともに、該カメラ側バヨネットマウントの一部に光軸に平行な貫通孔を設け、前記カメラ側バヨネットマウントの裏面側から前記貫通孔を貫通して先端が前記マウント接合部に臨む導電性を有する導電用ピンと、該導電用ピンの先端を前記マウント接合部から突出させる方向に付勢する導電性を有する付勢部材と、前記カメラ本体内に設けたカメラ側電気装置と、前記カメラ側電気装置と電気的に接続されている複数のカメラ側接点を含み、前記マウント接合部より前記カメラ本体の内側に配置され、前記カメラ本体に前記交換レンズが装着された状態で前記交換レンズに配置される複数のレンズ側接点に前記複数のカメラ側接点が電気的に接続されるカメラ側接点群とを備え、 前記交換レンズが前記カメラ本体に装着された状態で前記交換レンズ内の電気装置と前記カメラ側電気装置とを電気的に接続するアースラインを、少なくとも前記導電用ピンと前記付勢部材とを含んで構成し、前記導電用ピンは位置規制部を有し、該位置規制部が前記カメラ側バヨネットマウントのマウント接合部と反対の面に当接することによって前記マウント接合部からの突出量を規制するように構成しており、前記導電性を有する付勢部材は、前記付勢部材の一端が前記導電用ピンに当接し、前記カメラ側バヨネットマウントのマウント接合部と反対の面に対し前記導電用ピンを付勢するように構成しており、さらに該付勢部材の他端と当接する導電部材と、前記カメラ側バヨネットマウントのマウント接合部から所定量突出した状態で前記レンズ側バヨネットマウントの当接面に設けられた穴部と係合することにより、前記交換レンズと前記カメラ本体との回転方向の装着姿勢を決定するレンズ着脱ピンと、該レンズ着脱ピンが前記カメラ側バヨネットマウントのマウント接合部から所定量退避したことを検知するレンズ着脱検知スイッチとを備え、前記導電部材を前記レンズ着脱検知スイッチの一片により構成したものである。
【００１５】
本発明によれば、カメラ本体側の非導電部材もしくは金属に比較して電気抵抗の大きい合成樹脂で構成したバヨネットマウントに貫通穴を設け、この裏面から位置規制部を有する導電用ピンを貫通させて先端をマウント接合部から突出させ、導電部材で形成したレンズ側のバヨネットマウントに接続させるとともに、前記導電用ピンに付勢力を与えるように当接する付勢部材の他端に金属板を当接させ、導電用ピンから付勢部材を介して金属板に至るアースラインを形成する。このようにすることにより、たとえカメラ本体側のマウント接合面を構成するバヨネットマウントが絶縁物で構成されていても、付勢部材と導電用ピンとによって、マウント接合部を利用した交換レンズとカメラ本体とを結ぶアースラインを構成することができる。
【００１６】
交換レンズ式カメラシステムとは、交換レンズとこれを着脱自在に装着する交換レンズ式カメラとなるカメラ本体とから構成される。
【００１７】
【発明の実施の形態】
図１ないし図３は本発明に係る交換レンズ式カメラシステムおよび交換レンズ式カメラの一つの実施の形態を示し、これらの図において、前述した図４と同一または相当する部分には同一番号を付し、詳細な説明は省略する。
ここで、図１は本発明に係る交換レンズ式カメラシステムの電気回路図であって、前述した図４に対応する図である。
【００１８】
図４との相違点のみを説明すると、この実施の形態では、レンズ側バヨネットマウント２、交換レンズ１を構成するレンズ構造物１ａを金属材で、またカメラ本体３を構成するカメラ構造物３ａ、カメラ側バヨネットマウント４を非導電部材としての樹脂モールドによって形成している。
【００１９】
図１中符号７で示すものはレンズ着脱検知スイッチ（以下、レンズ着脱検知ＳＷという）のグランド接片である。また、図１および図３中８は絶縁部材、９はカメラ構造物３ａ上に前記絶縁部材８によって挾み込まれて固定されるレンズ着脱検知ＳＷの接片で、このレンズ着脱検知ＳＷの接片９は、前記レンズ着脱検知ＳＷのグランド接片７との間に絶縁部材８を挾んだ状態でカメラ構造物３ａにビスにより取付け固定されている。
【００２０】
図１〜図３において符号２５で示すものはたとえば金メッキを施した導通用のピンで、このピン２５はつば部２５ａを有する。この導通用ピン（導電用ピン）２５は、導通用コイルばね６と同軸上に並んで配置され、前記つば部２５ａに導通用コイルばね６を突き当てることにより付勢している。
また、この導通用ピン２５の先端は、カメラ側バヨネットマウント４に光軸に平行に穿設した貫通孔４ａに嵌入するようになっており、このピン２５は前記導通用コイルばね６の付勢力で貫通孔４ａ内に嵌入し、バヨネットマウント４の裏面から表面に貫通して先端部をマウント接合部４Ａに露呈させるように構成されている。
【００２１】
なお、導通用ピン２５は、つば部２５ａが図３に示すように導通用コイルばね６の付勢力でカメラ側バヨネットマウント４の裏面に突き当てられることによりそれ以上の動きが規制される。そして、この導通用ピン２５の先端の前記マウント接合部４Ａからの必要以上の突出を規制している。
また、この導通用コイルばね６は導通用のピン２５のつば部２５ａと前記レンズ着脱検知ＳＷのグランド接片７との間に付勢力をもって設置されている。
【００２２】
ここで、前記カメラ側の電気装置１８は、配線Ｌ18によって、カメラ本体３の非導電部材からなるカメラ構造物１ａではなく、前記レンズ着脱検知ＳＷのグランド接片７に接地されている。
このような構成によれば、配線Ｌ8 、交換レンズ１のレンズ構造物１ａ、レンズ側バヨネットマウント２、導通用ピン２５、導通用コイルばね６、レンズ着脱検知ＳＷのグランド接片７、配線Ｌ18という経路によって、レンズ側電気装置１５とカメラ側電気装置１８を結ぶアースラインが構成される。
【００２３】
したがって、このような構造では、カメラ本体３側のバヨネットマウント４の貫通孔４ａを貫通するように導通用ピン２５を、カメラ本体３側のバヨネットマウント４の裏面からコイルばね６により付勢し、かつこのコイルばね６の他端面に前記レンズ着脱検知ＳＷのグランド接片７という金属板を当接させることにより、導通用ピン２５からコイルばね６を介してグランド接片７に至るアースラインを構成しているので、以下のような効果が得られる。
【００２４】
すなわち、上述したような構成によってアースラインを形成しているため、カメラ本体３側のバヨネットマウント４やこのカメラ本体３側のマウント座をなすカメラ構造物３ａが絶縁物であっても、マウント接合部４Ａにおけるレンズ側バヨネットマウント２とカメラ側の導通用ピン２５とを利用して、交換レンズ１とカメラ本体３とを結ぶアースラインを形成することができる。
【００２５】
換言すれば、カメラ本体３側のバヨネットマウント４とマウント座を含むカメラ構造物３ａが、たとえ樹脂モールドのような絶縁物によって形成されていたとしても、カメラ本体３側のバヨネットマウント４の貫通孔４ａから突出するように導通用ピン２５を、カメラ本体３側のバヨネットマウント４の裏面からコイルばね２５により付勢するように、導通用ピン２５とコイルばね６とを設置することにより、マウント接合部４Ａにおけるレンズ側バヨネットマウント２とカメラ本体３側の導通用ピン２５とによって、交換レンズ１とカメラ本体３間とを結ぶアースラインを確実に形成することができる。
【００２６】
図２はカメラ本体３を構成するカメラ構造物３ａの一部を分解して示す斜視図であり、同図において、カメラ構造物３ａは、樹脂モールドにより形成され、バヨネットマウント座、プリズムボックス座、ミラーボックス、シャッタ基板等の役割を複合した形状で構成している。
また、導通コイルばね６はカメラ構造物３ａのマウント座に形成した穴部３ｂ内に設置され、カメラ側バヨネットマウント４の貫通孔４ａを貫通する導通用ピン２５のつば部２５ａとレンズ着脱検知ＳＷのグランド接片７のばね当接部７ａとに挾み込まれ、かつ前記コイルばね６からの付勢力が与えられた状態で保持されている。
【００２７】
上述した穴部３ｂは、カメラ側バヨネットマウント４の貫通孔４ａと、カメラ構造物３ａにおけるミラーボックスの側壁部３ｃの外側とを結ぶ位置に光軸と平行にあけられている。また、バヨネットばね５はカメラ側バヨネットマウント４とカメラ構造物３ａのマウント座の間に設置され、導通コイルばね６を逃げる形の切り欠き部５ａを有する。
【００２８】
図３は本発明を特徴づけるレンズ着脱検知ＳＷやコイルばね６および導通用ピン２５を有する部分の構造を示す。ここで、レンズ着脱ピン２０は、着脱ピンばね２１の付勢力によってピン先端部２０ａをカメラ側バヨネットマウント４の穴部から突出させるように組付けられている。このレンズ着脱ピン２０の突出量はＥリング１９ａにより決められる。
そして、このようなレンズ着脱ピン２０の先端部２０ａがレンズ側バヨネットマウント２の穴部（図示せず）に係合することで、交換レンズ１のカメラ本体３への回転方向の取付姿勢が決められる。
【００２９】
また、レンズ着脱検知ＳＷのグランド接片７とレンズ着脱検知ＳＷの接片９は、前述したように絶縁部材８を挾んでカメラ構造物３ａに取り付けられている。そして、この二枚の接片７，９は、レンズ着脱ピン２０の先端部２０ａがカメラ側バヨネットマウント４のマウント接合部４Ａより突出した状態においては接触導通状態にあり、さらにレンズ着脱ピン退避部材２２が操作されると、レンズ着脱ピン２０が所定量押し下げられ、非導通状態となり、交換レンズ１が正しく装着されていないことを検知可能となる。なお、１９ｂはレンズ着脱ピン２０にレンズ着脱ピン退避部材２２を固定するＥリング、２０ｂはレンズ着脱検知ＳＷのグランド接片７に対応するレンズ着脱ピン２０の後端部である。
また、レンズ着脱検知ＳＷのグランド接片７は導通用コイルばね６によりカメラ側バヨネットマウント４のマウント接合部４Ａから突出する導通用ピン２５と導通状態にあり、交換レンズ１とカメラ本体３間のアースラインの一部として用いられる導通用コイルばね６の受け板としても用いられている。
【００３０】
なお、本発明は上述した実施の形態構造には限定されず、交換レンズ式カメラシステムとしての各部の形状、構造等を適宜変形、変更し得ることは勿論であり、種々の変形例が考えられる。
たとえば上述した実施の形態においては、レンズ着脱検知ＳＷのグランド接片７と導通用コイルばね６の金属板による受け板とを共通とした場合を示したが、これらを別々に構成してもよい。また、カメラ本体３のカメラ構造物３ａがカーボン等を含む導電性合成樹脂材であっても、電気抵抗が金属に比べ大きい場合には本発明の構成を適用して効果がある。
【００３１】
【実施例】
カメラ本体３を構成するカメラ構造物３ａ、カメラ側バヨネットマウント４を、非導電部材として樹脂モールドによって形成し、またレンズ側バヨネットマウント２、交換レンズ１を構成するレンズ構造物１ａを金属材で形成している。
そして、カメラ側の電気装置１８からの配線Ｌ18を、カメラ構造物３ａに設けたレンズ着脱検知ＳＷのグランド接片７、導通用コイルばね６、導通用ピン２５によって構成し、このピン２５の先端部をカメラ側バヨネットマウント４に形成した貫通孔４ａを介してマウント接合部４Ａに突出させ、レンズ側バヨネットマウント２に電気的に接続可能に構成している。
【００３２】
【発明の効果】
以上説明したように本発明に係る交換レンズ式カメラシステムまたは交換レンズ式カメラによれば、カメラ側バヨネットマウントを、非導電部材もしくは金属に比較して電気抵抗の大きい合成樹脂によって形成するとともに、該カメラ側バヨネットマウントの一部に光軸に平行な貫通孔を設け、前記カメラ側バヨネットマウントの裏面側から前記貫通孔を貫通して先端がマウント接合部に臨む導電性を有する導電用ピンと、該導電用ピンの先端を前記マウント接合部から突出させる方向に付勢する導電性を有する付勢部材と、前記交換レンズ内に設けたレンズ側電気装置と、前記カメラ本体内に設けたカメラ側電気装置と、前記カメラ側電気装置と電気的に接続されている複数のカメラ側接点を含み、前記マウント接合部より前記カメラ本体の内側に配置されるカメラ側接点群と、前記レンズ側電気装置と電気的に接続されている複数のレンズ側接点を含み、前記交換レンズ上であって、前記カメラ本体に前記交換レンズを装着した状態で前記複数のカメラ側接点に前記複数のレンズ側接点が電気的に接続されるような前記交換レンズ上の位置に配置されるレンズ側接点群とを備え、前記交換レンズが前記カメラ本体に装着された状態で前記レンズ側電気装置と前記カメラ側電気装置とを電気的に接続するアースラインを、少なくとも前記導電用ピンと前記付勢部材とを含んで構成し、前記導電用ピンに位置規制部を設け、該位置規制部が前記カメラ側バヨネットマウントのマウント接合部と反対の面に当接することによって前記マウント接合部からの突出量を規制するように構成しており、前記導電性を有する付勢部材は、前記付勢部材の一端が前記導電用ピンに当接し、前記カメラ側バヨネットマウントのマウント接合部と反対の面に対し前記導電用ピンを付勢するように構成しており、さらに該付勢部材の他端と当接する導電部材と、前記カメラ側バヨネットマウントのマウント接合部から所定量突出した状態で前記レンズ側バヨネットマウントの当接面に設けられた穴部と係合することにより、前記交換レンズと前記カメラ本体との回転方向の装着姿勢を決定するレンズ着脱ピンと、該レンズ着脱ピンが前記カメラ側バヨネットマウントのマウント接合部から所定量退避したことを検知するレンズ着脱検知スイッチとを備え、前記導電部材を前記レンズ着脱検知スイッチの一片により構成したので、簡単な構成であるにもかかわらず、以下に述べる優れた効果を奏する。
【００３３】
すなわち、本発明によれば、非導電部材もしくは金属に比較して電気抵抗の大きい合成樹脂で構成したカメラ側バヨネットマウントに形成した貫通穴に、マウントの裏面から導電用ピンを貫通させて先端をマウント接合部から突出させ、導電部材で形成されているレンズ側バヨネットマウントに接続させることが可能となるとともに、導電用ピンに付勢力を与えるように当接する付勢部材の他端に金属板を当接させ、導電用ピンから付勢部材を介して金属板に至るアースラインを形成しているから、たとえカメラ本体側のマウント接合面を構成するバヨネットマウントが絶縁物で構成されていても、付勢部材と導電用ピンとによって、マウント接合部を利用した交換レンズとカメラ本体とを結ぶアースラインを構成することができる。
【００３４】
したがって、本発明によれば、たとえばカメラ側のバヨネットマウントやそのマウント座を含むカメラ構造物を樹脂モールドのような絶縁物により構成した場合にあっても、交換レンズと結合するカメラ側のバヨネットマウントに穿設した貫通孔を貫通する導電用ピンとこれに接続する付勢部材とを利用することによって、交換レンズとカメラ本体とを電気的に接続するアースラインを構成することができる交換レンズ式カメラシステムまたは交換レンズ式カメラを得ることができる。
【００３５】
また、本発明によれば、導電用ピンに、カメラ側バヨネットマウントのマウント接合部と反対の面に当接することによってマウント接合部からの突出を規制する位置規制部を設けたり、導電性を有する付勢部材の他端と当接する導電部材を、カメラ側バヨネットマウントのマウント接合部へのレンズ側の着脱を検知するレンズ着脱検知スイッチの一片により構成することにより、簡単な構成で、しかも前述したアースラインを確実に形成することができる。
【図面の簡単な説明】
【図１】  本発明に係る交換レンズ式カメラシステムおよび交換レンズ式カメラの一つの実施の形態を示す電気回路図である。
【図２】  本発明に係る交換レンズ式カメラの一つの実施の形態を示す要部構成の斜視図である。
【図３】  図１の交換レンズ式カメラシステムにおいて、カメラ本体側のレンズ着脱検知ＳＷとアースラインを構成する導通用コイルばねおよび導通用ピンを設けている部分の要部拡大断面図である。
【図４】  従来の交換レンズ式カメラシステムおよび交換レンズ式カメラでの電気回路図である。
【符号の説明】
１…交換レンズ、１ａ…レンズ構造物、２…レンズ側バヨネットマウント、３…カメラ本体、３ａ…カメラ構造物、４…カメラ側バヨネットマウント、５…バヨネットばね、６…導通用コイルばね（付勢部材）、７…レンズ着脱検知ＳＷのグランド接片（導電部材）、８…絶縁部材、９…レンズ着脱検知ＳＷの接片、１１，１２…レンズ側、カメラ側接点群、１３…電動モータ、１４…モータ制御装置、１５…レンズ側電気装置、１６…電源、１７…定電圧出力回路、１８…カメラ側電気装置、２０…レンズ着脱ピン、２０ａ…ピン先端部、２１…着脱ピンばね、２２…レンズ着脱ピン退避部材、２５…導通用ピン、２５ａ…つば部、Ｌ1 〜Ｌ8 ，Ｌ11〜Ｌ18…配線。
【図１】
0003911721.tif 000002
【図２】
0003911721.tif 000003
【図３】
0003911721.tif 000004
【図４】
0003911721.tif 000005